(57)【要約】【課題】利用者が、外出先や出張先等においても、その地域に密着した店舗の広告情報を経済的な負担（課金）なしで取得できるようにする。【解決手段】広告依頼主は、端末１２を操作し、宣伝を行う店舗１０の位置情報と宣伝情報とを含む広告情報１１を、店舗１０の所在地を放送エリアにしている放送局４０のサーバ４１へ送信する。サーバ４１では、端末１２から送られてきた広告情報１１を、放送局４０から出力されている放送電波４２に重畳させる。利用者のナビゲーション機器５０は、放送電波４２に重畳されている広告情報４２１を受信し、上記広告情報４２１中の位置情報４２２によって示される位置が、現在表示中の地図上の位置である場合には、地図上に店舗の位置をマークすると共に、そのマークに関連付けて宣伝情報を表示する。【選択図】　　　図１
2004132717.tif 000002
【特許請求の範囲】
【請求項１】
広告依頼主が利用する端末と、放送局のサーバと、利用者が利用するナビゲーション機器とを含む広告情報提供システムであって、
前記端末が、宣伝情報と、該宣伝情報によって宣伝する店舗の位置情報とを含む広告情報を前記サーバに送信する構成を有し、
前記サーバが、前記端末から送られてきた広告情報を、前記放送局から出力されている放送電波に重畳させる構成を有し、
前記ナビゲーション機器が、前記放送局から出力されている放送電波を受信し、該受信した放送電波に重畳されている広告情報中の位置情報によって示される位置が現在表示中の地図上の位置である場合、前記地図上の前記位置情報によって示される位置に所定のマークを表示すると共に、前記広告情報中の宣伝情報を前記マークに関連付けて表示する構成を有することを特徴とする広告情報提供システム。
【請求項２】
請求項１記載の広告情報提供システムにおいて、
前記宣伝情報が、該宣伝情報によって宣伝を行う店舗の業種を含み、且つ、
前記ナビゲーション機器が、前記広告情報中の位置情報によって示される位置が現在表示中の地図上の位置であり、且つ、前記広告情報中の宣伝情報に含まれている業種が前記利用者によって指定されている業種である場合、前記地図上の前記位置情報によって示される位置に所定のマークを表示すると共に、前記広告情報中の宣伝情報を前記マークに関連付けて表示する構成を有することを特徴とする広告情報提供システム。
【請求項３】
請求項２記載の広告情報提供システムにおいて、
前記宣伝情報が、複数の項目から構成され、且つ、
前記ナビゲーション機器が、前記宣伝情報を前記マークに関連付けて表示する際、前記宣伝情報中の前記利用者によって指定されている項目のみを表示する構成を有することを特徴とする広告情報提供システム。
【請求項４】
請求項１、２または３記載の広告情報提供システムにおいて、
前記サーバが、広告情報の送信元の端末に対して、料金請求情報を送信する構成を有することを特徴とする広告情報提供システム。
【請求項５】
放送局から出力されている放送電波に重畳されている、宣伝情報と、該宣伝情報によって宣伝する店舗の位置情報とを含む広告情報を受信し、該受信した広告情報中の位置情報によって示される位置が、現在表示中の地図上の位置である場合、前記地図上の前記位置情報によって示される位置に所定のマークを表示すると共に、前記広告情報中の宣伝情報を前記マークに関連付けて表示する構成を有することを特徴とするナビゲーション機器。
【請求項６】
請求項５記載のナビゲーション機器において、
前記広告情報中の位置情報によって示される位置が現在表示中の地図上の位置であり、且つ、前記広告情報中の宣伝情報に含まれている業種が前記利用者によって指定されている業種である場合、前記地図上の前記位置情報によって示される位置に所定のマークを表示すると共に、前記広告情報中の宣伝情報を前記マークに関連付けて表示する構成を有することを特徴とするナビゲーション機器。
【請求項７】
請求項６記載のナビゲーション機器において、
前記宣伝情報を前記マークに関連付けて表示する際、前記宣伝情報中の前記利用者によって指定されている項目のみを表示する構成を有することを特徴とするナビゲーション機器。
【請求項８】
放送局から出力されている放送電波に重畳されている、宣伝情報と、該宣伝情報によって宣伝する店舗の位置情報とを含む広告情報を受信する受信部を備えたコンピュータを、
前記受信した広告情報中の位置情報によって示される位置が、現在表示中の地図上の位置である場合、前記地図上の前記位置情報によって示される位置に所定のマークを表示すると共に、前記広告情報中の宣伝情報を前記マークに関連付けて表示する手段として機能させるためのプログラム。
【発明の詳細な説明】
【０００１】
【発明の属する技術分野】
本発明は、店舗の広告情報を利用者に提供する広告情報提供技術に関し、特に、利用者の現在位置を含む所定の地域内に存在する店舗の広告情報を利用者に提供する広告情報提供技術に関する。
【０００２】
【従来の技術】
地域に密着した広告情報を利用者に提供する場合、従来は、新聞による折り込み広告が一般的に利用されている。しかし、折り込み広告を利用する方法は、折り込み広告を印刷するための時間や、利用者に配達するための時間が必要になるため、即時性に劣るという問題がある。
【０００３】
このような問題点を解決するため、地域に密着した広告情報を電子的な方法で利用者に提供するようにした、下記（ａ）〜（ｃ）に示すような技術が従来から提案されている。
【０００４】
（ａ）テレビジョン放送局から、放送信号に広告情報を多重化して送信する。上記広告情報には、その広告情報を配信したい地域を示す地域情報が付加されている。広告情報を受信する各家庭のテレビジョン放送受信装置は、受信した広告情報の内、それに含まれている地域情報が自装置の設置地域と一致するものだけを表示する（例えば、特許文献１参照）。
【０００５】
（ｂ）広告依頼主が、広告情報と、その広告情報の提供位置とをネットワークナビセンタに登録する。利用者は、自身の現在位置の近くにある店舗を知りたい場合、自身が所有する移動体携帯機器を使用してネットワークナビセンタに自身の現在位置を通知する。ネットワークナビセンタでは、利用者の現在位置と、登録されている広告情報の提供位置とに基づいて、利用者に提供する広告情報を決定し、決定した広告情報を利用者の移動体通信機器に送信する（例えば、特許文献２参照）。
【０００６】
（ｃ）広告依頼主が、集中管理サーバに、配信地域を指定した広告情報を送信する。集中管理サーバは、複数存在する地域配信サーバの内の、上記指定された配信地域に設置されている地域配信サーバに広告情報を送信する。地域配信サーバは、集中管理サーバから送られてきた広告情報を管理する。或る地域にいる利用者は、その地域内の店舗の広告情報を得たい場合は、自身の携帯端末から上記地域をカバーしている地域配信サーバにアクセスし、広告情報を取得する（例えば、特許文献３参照）。
【０００７】
【特許文献１】
特開２０００−１１５７２４公報
【特許文献２】
特開２００１−３３３４５５公報
【特許文献３】
特開２００２−９６９１公報
【０００８】
【発明が解決しようとする課題】
上述した従来の技術（ａ）〜（ｃ）によれば、即時性に優れ、且つ地域に密着した広告情報を利用者に提供することが可能になる。しかし、上述した従来の技術（ａ）〜（ｃ）には次のような問題点がある。
【０００９】
上述した従来の技術（ａ）では、テレビジョン放送受信装置を利用して利用者に広告情報を提供しているため、利用者が外出先、出張先等において、その地域に存在する店舗の広告情報を取得することができないという問題がある。
【００１０】
また、上述した従来の技術（ｂ）、（ｃ）によれば、外出先等において、その地域に存在する店舗の広告情報を取得することはできるが、課金義務がある携帯機器からの発呼を行わなければならないため利用者に経済的な負担がかかるという問題がある。
【００１１】
そこで、本発明の目的は、利用者が外出先や出張先等において、その地域に密着した店舗の広告情報を経済的な負担（課金）なしで取得できるようにすることにある。
【００１２】
【課題を解決するための手段】
本発明の広告情報提供システムは、上記目的を達成するため、
広告依頼主が利用する端末と、放送局のサーバと、利用者が利用するナビゲーション機器とを含む広告情報提供システムであって、
前記端末が、宣伝情報と、該宣伝情報によって宣伝する店舗の位置情報とを含む広告情報を前記サーバに送信する構成を有し、
前記サーバが、前記端末から送られてきた広告情報を、前記放送局から出力されている放送電波に重畳させる構成を有し、
前記ナビゲーション機器が、前記放送局から出力されている放送電波を受信し、該受信した放送電波に重畳されている広告情報中の位置情報によって示される位置が現在表示中の地図上の位置である場合、前記地図上の前記位置情報によって示される位置に所定のマークを表示すると共に、前記広告情報中の宣伝情報を前記マークに関連付けて表示する構成を有する。
【００１３】
また、本発明の広告情報提供システムは、利用者によって指定された業種に関連する宣伝情報のみを利用者に提示できるようにするため、
前記宣伝情報が、該宣伝情報によって宣伝を行う店舗の業種を含み、且つ、
前記ナビゲーション機器が、前記広告情報中の位置情報によって示される位置が現在表示中の地図上の位置であり、且つ、前記広告情報中の宣伝情報に含まれている業種が前記利用者によって指定されている業種である場合、前記地図上の前記位置情報によって示される位置に所定のマークを表示すると共に、前記広告情報中の宣伝情報を前記マークに関連付けて表示する構成を有する。
【００１４】
更に、本発明の広告情報提供システムは、宣伝情報に含まれている複数の項目の内の、利用者によって指定された項目のみを利用者に提示できるようにするため、
前記宣伝情報が、複数の項目から構成され、且つ、
前記ナビゲーション機器が、前記宣伝情報を前記マークに関連付けて表示する際、前記宣伝情報中の前記利用者によって指定されている項目のみを表示する構成を有する。
【００１５】
また、本発明の広告情報提供システムは、サーバの運営者が利益を得られるようにするため、
前記サーバが、広告情報の送信元の端末に対して、料金請求情報を送信する構成を有する。
【００１６】
【作用】
広告依頼主は、端末を操作し、宣伝を行う店舗の位置情報と、宣伝情報とを含む広告情報をサーバへ送信する。サーバでは、端末から送られてきた広告情報を、放送局から出力されている放送電波に重畳させる。利用者のナビゲーション機器は、放送電波に重畳されている広告情報を受信し、上記広告情報中の位置情報によって示される位置が、現在表示中の地図上の位置である場合には、地図上に店舗の位置をマークすると共に、宣伝情報を表示する。従って、利用者は、出張先等においても自身の現在位置の近くにある店舗の宣伝情報を、経済的な負担なしで得ることができる。宣伝情報を表示する際、利用者によって指定された業種の宣伝情報のみを表示することもできる。更に、宣伝情報中の複数の項目の内の、利用者によって指定された項目のみを表示することもできる。また、サーバは、広告依頼主の端末に対して料金請求情報を送信し、広告依頼主に料金を請求する。
【００１７】
【発明の実施の形態】
次に本発明の実施の形態について図面を参照して詳細に説明する。
【００１８】
図１は本発明にかかる広告情報提供システムの一実施例のブロック図である。
【００１９】
店舗１０は、広告依頼主が宣伝しようとしている店舗であり、店舗１０内には、端末１２が設けられている。端末１２は、パーソナルコンピュータなどによって実現されるものであり、宣伝情報及び位置情報からなる広告情報１１を上りのインフラ経路（例えば、公衆電話回線）２１、ネットワーク（例えば、インターネット）３０を介して放送局４０のサーバ４１に送信したり、サーバ４１から下りのインフラ経路２２、ネットワーク３０を介して料金請求情報を受信する機能等を有している。
【００２０】
放送局４０は、端末１２から送られてきた広告情報を、放送電波（地上波）４２に文字情報として重畳して出力するラジオ放送局である。
【００２１】
放送局４０内には、サーバ４１と、放送設備４３とが設けられている。サーバ４１は、端末１２から送られてきた広告情報１１を受信する機能や、受信した広告情報１１のフォーマットをナビゲーション機器５０で処理しやすいフォーマットに変換し、フォーマット変換後の広告情報４２１を放送設備に入力する機能や、端末１２へ料金請求情報を送信する機能などを有している。放送設備４３は、サーバ４１からの広告情報４２１を放送電波４２に重畳する機能を有している。なお、図１には、あるエリアをカバーする放送局４０を１局しか図示していないが、複数のエリアそれぞれに、放送局４０と同様の構成を有する放送局が存在している。
【００２２】
ナビゲーション機器５０は、利用者が所有するナビゲーション機器であり、本実施例では、カーナビゲーション機器であるとする。ナビゲーション機器５０は、通常のカーナビゲーション機器が備えている機能に加え、放送電波４２を受信し、それに重畳されている広告情報４２１を抽出する機能や、広告情報４２１中の位置情報４２２によって示される位置（宣伝したい店舗１０の位置）が、現在表示中の地図上に存在する場合、上記地図上の上記位置情報４２２によって示される位置に所定のマークを表示すると共に、宣伝情報４２３を表示する機能も備えている。
【００２３】
図２は、端末１２の構成例を示すブロック図であり、処理部１２１と、送受信部１２２と、キーボード等の入力部１２３と、ＬＣＤ等の表示部１２４と、記録媒体１２５とから構成されている。
【００２４】
送受信部１２２は、ネットワーク３０を介してデータをやり取りする機能を有している。
【００２５】
処理部１２１は、サーバ４１から広告情報入力画面を取得して表示部１２４に表示する機能や、広告依頼主が広告情報入力画面を用いて入力した広告情報１１をサーバ４１へ送信する機能や、サーバ４１から送られてきた料金請求情報を表示部１２４に表示する機能等を有する。
【００２６】
記録媒体１２５は、ディスク、半導体メモリ、その他の記録媒体であり、パーソナルコンピュータ等からなる端末１２を広告情報提供システムの一部として機能させるためのプログラムが記録されている。このプログラムは、端末１２によって読み取られ、その動作を制御することで、端末１２上に処理部１２１、送受信部１２２を実現する。
【００２７】
図３は、放送局４０内のサーバ４１、放送設備４３の構成例を示すブロック図である。
【００２８】
サーバ４１は、処理部４１１と、送受信部４１２と、広告情報記憶部４１３と、記録媒体４１４とから構成されている。
【００２９】
送受信部４１２は、ネットワーク３０を介してデータを送受信する機能を備えている。
【００３０】
処理部４１１は、広告依頼主の端末１２に広告情報入力画面を送信する機能や、端末１２から送られてきた広告情報のフォーマットをナビゲーション機器５０で処理しやすいフォーマットに変換して広告情報記憶部４１３に格納する機能や、広告情報記憶部４１３に格納されているフォーマット変換後の各広告情報を順次読み出して放送設備４３に供給する機能や、端末１２に料金請求情報を送信する機能などを有している。
【００３１】
記録媒体４１４は、ディスク、半導体メモリ、その他の記録媒体であり、サーバ４１を広告情報提供システムの一部として機能させるためのプログラムが記録されている。このプログラムは、サーバ４１によって読み取られ、その動作を制御することで、サーバ４１上に処理部４１１、送受信部４１２を実現する。
【００３２】
放送設備４３は、サーバ４１から入力された広告情報を、放送電波４２に重畳させる重畳部４３１を備えている。
【００３３】
図４は、ナビゲーション機器５０の構成例を示すブロック図である。同図に示すように、ナビゲーション機器５０は、受信部５１と、広告情報抽出部５２と、広告情報書き込み部５３と、広告情報記憶部５４と、ＧＰＳ（Ｇｌｏｂａｌ　Ｐｏｓｉｔｉｏｎｉｎｇ　Ｓｙｓｔｅｍ）受信部５５と、マイクロプロセッサ等により実現される処理部５６と、ＬＣＤ等の表示部５７と、設定スイッチ等を含む操作部５８と、地図情報記憶部５９と、記録媒体６０とから構成されている。
【００３４】
受信部５１は、広告情報４２１が文字情報として重畳されている放送電波４２（所謂、見えるラジオ用放送電波）を受信する機能を有する。広告情報抽出部５２は、放送電波４２に重畳されている広告情報４２１を抽出する機能を有する。広告情報書き込み部５３は、広告情報抽出部５２で抽出された広告情報のフォーマットをナビゲーション機器５０で処理しやすいフォーマットに変換した後、広告情報記憶部５４に格納する機能を有する。
【００３５】
処理部５６は、図５に示すように、広告情報検索部５６１と、表示データ作成手段５６２とを備えている。
【００３６】
広告情報検索手段５６１は、広告情報記憶部５４に格納されている広告情報の中から、それに含まれている位置情報が、現在表示部５７に表示されている地図上の位置を示しているものを検索し、表示データ作成手段５６２に渡す機能を有する。なお、利用者が操作部５８を用いて表示対象にする広告情報の業種を設定している場合には、検索した広告情報の内の、利用者によって設定されている業種の広告情報のみを表示データ作成手段５６２に渡す場合もある。
【００３７】
表示データ作成手段５６２は、ＧＰＳ受信部５５の受信結果、広告情報検索部５６１から渡された広告情報および地図情報記憶部５９に格納されている地図情報に基づいて、利用者の現在位置近傍の地図であって、広告情報中の位置情報によって示される位置（店舗の位置）に所定のマークが表示され、そのマークに関連付けて宣伝情報が表示されている地図を表示するための表示データを作成し、表示部５７に出力する機能を有する。
【００３８】
記録媒体６０は、ディスク、半導体メモリ、その他の記録媒体であり、処理部５６を広告情報提供システムの一部として機能させるためのプログラムが記録されている。このプログラムは、処理部５６によって読み取られ、その動作を制御することで、処理部５６上に、広告情報検索部５６１、表示データ作成手段５６２を実現する。
【００３９】
【実施例の動作の説明】
次に、本実施例の動作について詳細に説明する。
【００４０】
先ず、広告依頼主が、店舗１０の端末１２を用いて広告情報を登録する場合の動作について説明する。
【００４１】
広告依頼主は、端末１２の入力部１２３を操作し、宣伝しようとしている店舗１０の所在地を放送エリアとしている放送局のサーバにアクセスする（図６、ステップＳ６１）。今、例えば、放送局４０のサーバ４１にアクセスしたとする。
【００４２】
サーバ４１内の処理部４１１は、端末１２からアクセスされると、広告情報入力画面を端末１２へ送信する（ステップＳ６２）。
【００４３】
端末１２内の処理部１２１は、サーバ４１から送られてきた広告情報入力画面を表示部１２４に表示する（ステップＳ６３）。図７に広告情報入力画面７１の一例を示す。同図に示すように、広告情報入力画面７１には、宣伝を行おうとする店舗１０の店舗名の入力欄７１１と、業種の入力欄７１２と、住所の入力欄７１３と、電話番号の入力欄７１４と、定休日の入力欄７１５と、営業時間の入力欄６と、宣伝コメントの入力欄７１７とが設けられている。
【００４４】
広告依頼主は、広告情報画面７１を用いて広告情報を入力し、入力が完了すると、広告情報をサーバ４１へ送信する（ステップＳ６４）。なお、住所の入力欄７１３に入力された情報が位置情報となる。
【００４５】
サーバ４１内の処理部４１１は、端末１２から広告情報１１が送られてくると、そのフォーマットをナビゲーション機器５０で処理しやすいフォーマットに変換する（ステップＳ６５）。具体的には、図８に示すように、広告情報１１中の住所に基づいて店舗１０の緯度、経度を求め、それらを広告情報４２１の位置情報４２２として予め定められているビット位置に配置する。その後、広告情報１１中の、店舗名、業種等の各項目の内容を所定のビット位置に配置し、更に、ＣＲＣ（Ｃｙｃｌｉｃ　Ｒｅｄｕｎｄａｎｃｙ　Ｃｈｅｃｋ）４２４を付加し、宣伝情報４２３とする。
【００４６】
フォーマット変換が完了すると、サーバ４１内の処理部４１１は、フォーマット変換後の広告情報を広告情報記憶部４１３に追加登録する（ステップＳ６６）。その後、処理部４１１は、広告依頼主の端末１２に料金請求情報を送信し、料金を請求する（ステップＳ６７）。端末１２内の処理部１２１は、料金請求情報を表示部１２４に表示する（ステップＳ６８）。なお、ステップＳ６７の代わりに、広告依頼主が指定した銀行口座から料金を引き落とすようにしても良い。
【００４７】
次に、放送局４０から広告情報を送信する場合の動作について説明する。
【００４８】
放送局４０に設けられているサーバ４１内の処理部４１１は、一定時間毎（例えば、５分毎）に図９の流れ図に示す処理を行う。
【００４９】
先ず、広告情報の送信開始を示す開始コードと、自放送局４０に割り当てられている局コードとを放送設備４３内の重畳部４３１に出力する（図９，ステップＳ９１）。これにより、重畳部４３１は、放送電波４２に、開始コードと局コードとを重畳する。
【００５０】
その後、処理部４１１は、広告情報記憶部４１３に格納されている広告情報を順次読み出し、重畳部４３１に出力する（ステップＳ９２）。これにより、重畳部４３１は、放送電波４２に広告情報を重畳する。なお、図６のステップＳ６６において広告情報記憶部４１３に広告情報を登録する際、その登録年月日も登録しておき、ステップＳ９２において広告情報を読み出した際、現在日時が登録年月日から一定期間が過ぎていれば、その広告情報を広告情報記憶部４１３から削除するようにしても良い。
【００５１】
そして、広告情報記憶部４１３に登録されている全ての広告情報を重畳部４３１に出力すると、処理部４１１は、広告情報の送信終了を示す終了コードを、重畳部４３１に対して出力する（ステップＳ９３）。これにより、重畳部４３１は、放送電波４２に終了コードを重畳する。
【００５２】
次に、ナビゲーション機器５０における広告情報の受信処理について説明する。
【００５３】
ナビゲーション機器５０の受信部５１は、ユーザによって放送局４０が選局されると、放送電波４２を受信する。広告情報抽出部５２は、放送電波４２に重畳されている開始コード、局コード、広告情報、終了コードを抽出する。
【００５４】
広告情報書き込み部５３は、広告情報抽出部５２によって開始コードが抽出されると（図１０、ステップＳ１０１がＹＥＳ）、開始コードの次に抽出される局コードを内部に保持する（ステップＳ１０２）。その後、広告情報書き込み部５３は、広告情報抽出部５２によって広告情報が抽出される毎に、抽出された広告情報を広告情報記憶部５３に登録する（ステップＳ１０４）。この処理を終了コードが抽出されるまで、繰り返す。そして、終了コードが抽出されると（ステップＳ１０３がＹＥＳ）、広告情報書き込み部５４は、広告情報抽出部５２によって局コードが抽出されるのを待つ（ステップＳ１０５）。そして、局コードが抽出されると、今回抽出された局コードとステップＳ１０２で保存しておいた局コードが一致するか否かを調べる（ステップＳ１０６）。
【００５５】
そして、一致している場合、即ち、ナビゲーション機器５０が放送局４０の放送エリア内に存在している場合（ステップＳ１０６がＹＥＳ）は、再び、広告情報抽出部５２が局コードを抽出するのを待つ（ステップＳ１０５）。
【００５６】
これに対して、一致していない場合、即ち、ナビゲーション機器５０が放送局４０の放送エリアから他の放送局Ｘ（図示せず）の放送エリアに移動し、放送局Ｘを選局した場合（ステップＳ１０６がＮＯ）は、放送局Ｘの局コードを内部に保存した後（ステップＳ１０２）、ステップＳ１０４の処理を行う。この処理により、放送局Ｘの放送エリアに存在する店舗の広告情報が、広告情報記憶部５４に登録される。
【００５７】
次に、ナビゲーション機器５０における広告情報の受信処理について説明する。
【００５８】
ナビゲーション機器５０内の処理部５６に設けられている広告情報検索手段５６１は、所定時間毎に、図１１の流れ図に示す処理を行う。
【００５９】
先ず、広告情報検索手段５６１は、利用者が操作部５８を用いて設定した業種情報（表示対象にする広告情報の業種を示す情報であり、利用者が業種情報を設定していない場合は、全ての業種の広告情報が表示対象になる）を入力すると共に、表示データ作成手段５６２から現在表示中の地図の左上、右下の緯度、経度を入力する（図１１、ステップＳ１１１）。
【００６０】
その後、広告情報検索手段５６１は、広告情報記憶部５４に格納されている広告情報の内の１つに注目し、注目した広告情報中の位置情報と、ステップＳ１１１で入力した緯度、経度とに基づいて、上記位置情報によって示される位置が、現在表示部５７に表示されている地図上の位置であるか否かを判断する（ステップＳ１１２、Ｓ１１３がＹＥＳ、Ｓ１１４）。
【００６１】
そして、広告情報中の位置情報によって示される位置が、現在表示中の地図上の位置でないと判断した場合（ステップＳ１１４がＮＯ）は、次の広告情報に注目する（ステップＳ１１２）。
【００６２】
これに対して、広告情報中の位置情報によって示される位置が、現在表示中の地図上の位置であると判断した場合（ステップＳ１１４がＹＥＳ）は、現在注目中の広告情報が、ステップＳ１１１で入力した業種情報によって表示対象にされている業種の広告情報であるか否かを判断する（ステップＳ１１５）。
【００６３】
そして、表示対象にされていない業種の広告情報であると判断した場合（ステップＳ１１５がＮＯ）は、次の広告情報に注目する（ステップＳ１１２）。
【００６４】
これに対して、表示対象にされている業種の広告情報であると判断した場合（ステップＳ１１５がＹＥＳ）は、注目中の広告情報を内部に保存した後（ステップＳ１１６）、次の広告情報に注目する（ステップＳ１１２）。
【００６５】
広告情報検索手段５６１は、上記した処理を未注目の広告情報がなくなるまで、繰り返し行う。そして、未処理の広告情報がなくなると（ステップＳ１１３がＹＥＳ）、ステップＳ１１６で保存しておいた広告情報を表示データ作成手段５６２に渡す（ステップＳ１１７）。
【００６６】
表示データ作成手段５６２は、広告情報検索手段５６１から広告情報が渡されると、この広告情報と、ＧＰＳ受信部５５の受信結果と、地図情報記憶部５９に格納されている地図情報とに基づいて、利用者の現在位置近傍の地図であって、広告情報中の位置情報によって示される位置（店舗の位置）に所定のマークが表示され、そのマークに関連付けて宣伝情報が表示されている地図を表示するための表示データを作成し、表示部５７に出力する（図１２、ステップＳ１２１）。これにより、表示部５７には、図１３に示すように、店舗の位置を示すマーク１３１と、その店舗の宣伝情報１３２とを含む地図が表示されることになる。なお、ここでは説明しなかったが、利用者による宣伝項目の選択を可能にすることもできる。即ち、操作部５８を用いて、利用者が、複数存在する宣伝項目（店舗名、業種、宣伝コメントなど）の中から、表示する宣伝項目を選択できるようにしておく。そして、表示データ作成手段５６２は、表示データを作成する際、宣伝情報中の全ての項目を利用して表示データを作成せずに、利用者によって選択された宣伝項目のみを用いて表示データを作成する。
【００６７】
【発明の他の実施例】
なお、上述した実施例では、放送局４０をラジオ放送局としたが、地上ディジタル波を送信するテレビジョン放送局としても良い。また、上述した実施例では、ナビゲーション機器５０をカーナビゲーション機器としたが、ナビゲーション機能を有する携帯電話機であっても良い。
【００６８】
【発明の効果】
以上説明したように、本発明によれば、利用者は、外出先や出張先等においても、その地域に密着した店舗の広告情報を経済的な負担（課金）なしで取得することが可能になる。その理由は、放送電波に重畳されている広告情報を受信し、上記広告情報中の位置情報によって示される位置が、現在表示中の地図上の位置である場合には、地図上に店舗の位置にマークを表示すると共に、宣伝情報を上記マークに関連付けて表示するナビゲーション機器を用いて広告情報を取得するようにしているからである。
【００６９】
また、本発明によれば、広告依頼主は、容易に店舗の宣伝を行うことが可能になる。その理由は、サーバに広告情報を登録するだけで良いからである。
【００７０】
更に、本発明によれば、サーバの運営者が利益を得ることができる。その理由は、広告依頼主に対して料金請求を行うからである。
【図面の簡単な説明】
【図１】本発明の一実施例のブロック図である。
【図２】端末１２の構成例を示すブロック図である。
【図３】放送局４０内のサーバ４１、放送設備４３の構成例を示すブロック図である。
【図４】ナビゲーション機器５０の構成例を示すブロック図である。
【図５】ナビゲーション機器５０内の処理部５６の構成例を示すブロック図である。
【図６】端末１２、サーバ４１が広告情報登録時に行う処理の一例を示す流れ図である。
【図７】広告情報入力画面７１の一例を示す図である。
【図８】放送局４０内のサーバ４１におけるデータ変換処理を説明するための図である。
【図９】放送局４０内のサーバ４１が広告情報の送信時に行う処理の一例を示す流れ図である。
【図１０】ナビゲーション機器５０が行う広告情報の受信処理の一例を示す流れ図である。
【図１１】広告情報検索手段５６１の処理例を示す流れ図である。
【図１２】表示データ作成手段５６２の処理例を示す流れ図である。
【図１３】広告情報の表示例を示す流れ図である。
【符号の説明】
１０…店舗
１１…広告情報
１２…端末
１２１…処理部
１２２…送受信部
１２３…入力部
１２４…表示部
１２５…記録媒体
２１、２２…インフラ経路
３０…ネットワーク
４０…放送局
４１…サーバ
４１１…処理部
４１２…送受信部
４１３…広告情報記憶部
４１４…記録媒体
４２…放送電波
４２１…広告情報
４２２…位置情報
４２３…宣伝情報
４２４…ＣＲＣ
４３…放送設備
４３１…重畳部
５０…ナビゲーション機器
５１…受信部
５２…広告情報抽出部
５３…広告情報書き込み部
５４…広告情報記憶部
５５…ＧＰＳ受信部
５６…処理部
５６１…広告情報検索手段
５６２…表示データ作成手段
５７…表示部
５８…操作部
５９…地図情報記憶部
６０…記録媒体
７１…広告情報入力画面
７１１〜７１７…入力欄
１３１…マーク
１３２…宣伝情報
【図１】
2004132717.tif 000003
【図２】
2004132717.tif 000004
【図３】
2004132717.tif 000005
【図４】
2004132717.tif 000006
【図５】
2004132717.tif 000007
【図６】
2004132717.tif 000008
【図７】
2004132717.tif 000009
【図８】
2004132717.tif 000010
【図９】
2004132717.tif 000011
【図１０】
2004132717.tif 000012
【図１１】
2004132717.tif 000013
【図１２】
2004132717.tif 000014
【図１３】
2004132717.tif 000015